(57)【要約】【課題】健康や生活行動からユーザ間のコミュニケーションネットワークを動的に形成し、ユーザ同士の健康や生活に関するコミュニケーションの活性化を支援するコミュニケーション管理システムを提供する。【解決手段】実施形態のコンピュータシステムは、複数のユーザ同士のコミュニケーションネットワーク情報を提供するコミュニケーション管理システムであり、複数のユーザ別に、日々の生活で動的に取得されるユーザの生体情報又は／及び生活行動情報を記憶する記憶装置と、第１ユーザの生体情報又は／及び生活行動情報に基づいて、第１ユーザに対して複数の他のユーザを関連付けたコミュニケーションネットワーク情報を生成する制御装置と、を含む。制御装置は、動的に取得される第１ユーザの生体情報又は／及び生活行動情報それぞれをネットワーク形成要素として、コミュニケーションネットワーク情報を生成する。【選択図】図２
2015005259.tif 000002
【特許請求の範囲】
【請求項１】
複数の情報端末装置と接続され、複数の前記情報端末装置間でのユーザ同士のコミュニケーションのためのコミュニケーションネットワーク情報を提供するコミュニケーション管理システムであって、
複数の前記ユーザ別に、日々の生活で動的に取得される前記ユーザの生体情報又は／及び生活行動情報を記憶する記憶装置と、
第１ユーザの前記生体情報又は／及び生活行動情報に基づいて、前記第１ユーザに対して複数の他のユーザを関連付けた前記コミュニケーションネットワーク情報を生成する制御装置と、を含み、
前記制御装置は、動的に取得される前記第１ユーザの前記生体情報又は／及び生活行動情報それぞれをネットワーク形成要素として、前記コミュニケーションネットワーク情報を生成することを特徴とするコミュニケーション管理システム。
【請求項２】
前記制御装置は、前記コミュニケーションネットワーク情報を構成するネットワーク構成メンバの各ユーザそれぞれで動的に取得される前記生体情報において、前回取得された第１生体情報と今回取得された第２生体情報を前記ユーザ別に抽出し、前記第１生体情報から前記第２生体情報に変化した状態変化を含む前記コミュニケーションネットワーク情報を生成することを特徴とする請求項１に記載のコミュニケーション管理システム。
【請求項３】
前記制御装置は、前記生体情報を複数の各タイプに区分するための定義情報に基づいて、前記タイプ別の各表示領域を含み、前記タイプに応じて各ユーザを前記表示領域それぞれにマッピングした前記コミュニケーションネットワーク情報を生成することを特徴とする請求項１又は２に記載のコミュニケーション管理システム。
【請求項４】
前記制御装置は、前記コミュニケーションネットワーク情報を構成するネットワーク構成メンバの各ユーザそれぞれで動的に取得される前記生活行動情報を用いて、前記ユーザ毎に前記生活行動情報を時系列に並べた日々の生活リズム情報を生成するとともに、
生成された前記生活リズム情報をネットワーク形成要素として、複数の前記ユーザの生活リズム情報が表示された前記コミュニケーションネットワーク情報を生成することを特徴とする請求項１から３のいずれか１つに記載のコミュニケーション管理システム。
【請求項５】
前記制御装置は、前記生活リズム情報を所定の各パターンに区分するための定義情報に基づいて、前記第１ユーザの前記生活リズム情報の生活リズムパターンを判別するとともに、
前記第１ユーザの前記生活リズム情報と対応する前記生活リズムパターンを日別に複数配列した生活リズム変化情報を生成することを特徴とする請求項４に記載のコミュニケーション管理システム。
【請求項６】
前記情報端末装置は、前記制御装置で生成されたコミュニケーションネットワーク情報に基づく所定のネットワーク画面を表示する表示手段と、
前記コミュニケーションネットワーク画面に表示される当該コミュニケーションネットワークに属する他のユーザとの通信を行う通信手段と、
を備えたことを特徴とする請求項１から５のいずれか１つに記載のコミュニケーション管理システム。
【請求項７】
複数の情報端末装置と接続され、複数の前記情報端末装置間でのユーザ同士のコミュニケーションのためのコミュニケーションネットワーク情報を提供するコンピュータによって実行されるプログラムであって、
複数の前記ユーザ別に、日々の生活で動的に取得される前記ユーザの生体情報又は／及び生活行動情報を記憶する第１機能と、
第１ユーザの前記生体情報又は／及び生活行動情報に基づいて、前記第１ユーザに対して複数の他のユーザを関連付けた前記コミュニケーションネットワーク情報を生成する第２機能と、を含み、
前記第２機能は、動的に取得される前記第１ユーザの前記生体情報又は／及び生活行動情報それぞれをネットワーク形成要素として、前記コミュニケーションネットワーク情報を生成することを特徴とするプログラム。
【発明の詳細な説明】
【技術分野】
【０００１】
本発明の実施形態は、ユーザの健康や生活行動からユーザ間のコミュニケーションネットワークを動的に形成し、ユーザ同士の健康や生活に関するコミュニケーションの活性化を支援する技術に関する。
【背景技術】
【０００２】
従来から、高齢者の健康状態をその家族や医療機関などが見守る技術が提案されている。また、高齢者側に設けられた端末装置と、家族や医療機関側に設けられた端末装置とをネットワークで接続し、高齢者とその家族等との間で端末装置を通じたコミュニケーションを図る技術が提案されている。
【先行技術文献】
【特許文献】
【０００３】
【特許文献１】特開２０１０−０７２７２０号公報
【発明の概要】
【発明が解決しようとする課題】
【０００４】
健康や生活行動からユーザ間のコミュニケーションネットワークを動的に形成し、ユーザ同士の健康や生活に関するコミュニケーションの活性化を支援するコミュニケーション管理システムを提供することを目的とする。
【課題を解決するための手段】
【０００５】
実施形態のコンピュータシステムは、複数の情報端末装置と接続され、複数の前記情報端末装置間でのユーザ同士のコミュニケーションのためのコミュニケーションネットワーク情報を提供するコミュニケーション管理システムであり、複数の前記ユーザ別に、日々の生活で動的に取得される前記ユーザの生体情報又は／及び生活行動情報を記憶する記憶装置と、第１ユーザの前記生体情報又は／及び生活行動情報に基づいて、前記第１ユーザに対して複数の他のユーザを関連付けた前記コミュニケーションネットワーク情報を生成する制御装置と、を含み、前記制御装置は、動的に取得される前記第１ユーザの前記生体情報又は／及び生活行動情報それぞれをネットワーク形成要素として、前記コミュニケーションネットワーク情報を生成することを特徴とする。
【図面の簡単な説明】
【０００６】
【図１】第１実施形態に係るコミュニケーション管理システムのシステム構成例を示す図である。
【図２】第１実施形態に係る管理装置（コミュニケーション管理装置）、生体情報計測装置、生活行動取得装置、情報端末装置の各構成ブロックの一例を示す図である。
【図３】第１実施形態に係るユーザ間のコミュニケーションネットワークの形成に係るネットワーク定義情報（ネットワーク形成要素）と、データ種別のグループ（タイプ）情報の一例を示す図である。
【図４】第１実施形態に係るコミュニケーションネットワークの生成処理フローを示す図である。
【図５】第１実施形態に係るコミュニケーションネットワーク生成処理の詳細フローを示す図である。
【図６】第１実施形態に係るコミュニケーションネットワークにおける生体情報や生活行動状況等の開示・非開示設定情報の一例である。
【図７】第１実施形態に係る血圧コミュニケーションネットワークの一例を示す図である。
【図８】第１実施形態に係る血圧タイプ（データ種別のグループ別）コミュニケーションネットワークの一例を示す図である。
【図９】第１実施形態に係る血圧コミュニケーションネットワークの一例を示す図であり、前回及び今回の血圧の状態変化を含むネットワーク例を示す図である。
【図１０】第１実施形態に係る状態変化を含むコミュニケーションネットワーク生成の処理フローを示す図である。
【図１１】第１実施形態に係る日別血圧変化表示型のコミュニケーションネットワークの一例を示す図である。
【図１２】第１実施形態に係る生活行動コミュニケーションネットワークの一例を示す図である。
【図１３】第１実施形態に係る生活音コミュニケーションネットワークの一例である。
【図１４】第１実施形態に係る生活リズムコミュニケーションネットワークの一例である。
【図１５】第１実施形態に係る生活リズムコミュニケーションネットワークの生成処理フローを示す図である。
【図１６】第１実施形態に係る生活リズムのパターン定義情報である。
【図１７】第１実施形態に係る生活リズムの変化及びパターン変化を示す図である。
【図１８】第１実施形態に係る健康とコミュニケーション変化の一例を示す図である。
【図１９】第１変形例に係るコミュニケーションネットワーク（ランキング）の生成処理フローを示す図である。
【図２０】第２変形例に係るコミュニケーションネットワーク（スケジュール）の生成処理フローを示す図である。
【図２１】第１実施形態に係る複数のコミュニケーションネットワークグループの表示例を示す図である。
【図２２】第１実施形態に係る選択されたコミュニケーションネットワークグループ内のメンバ表示例を示す図である。
【発明を実施するための最良の形態】
【０００７】
以下、実施形態につき、図面を参照して説明する。
【０００８】
（第１実施形態）
図１から図２２は、第１実施形態のコミュニケーション管理システムのシステム構成図である。本実施形態のコミュニケーション管理システムは、ユーザの日々の健康や生活行動を把握しつつ、把握された健康や生活行動からユーザ間のコミュニケーションネットワークを動的に形成し、ユーザ同士の健康や生活に関するコミュニケーションの活性化を支援するコンピュータシステムである。
【０００９】
また、本実施形態のコミュニケーション管理システムは、ユーザの日々の健康や生活行動を把握するので、例えば、高齢者や一人暮らしの人等のユーザを、その家族や親族、公的機関（医療機関や介護機関など）が見守るコンピュータシステムを含む構成とすることができる。
【００１０】
本実施形態では、見守りシステムを含む本コミュニケーション管理システムの態様を一例に説明しているが、本コミュニケーション管理システムは、見守りシステムと個別のコンピュータシステムとして実現可能である。
【００１１】
また、見守りシステムが適用された場合、図１に示すように、見守られる高齢者等のユーザとその家族とが一対一、又は一人の高齢者等と複数の家族や公的機関とが一対多で結びついたシステム構成とすることができるが、例えば、家族や公的機関との結びつきがなく、コミュニケーション管理システムのみに結びついた高齢者等のユーザを含むことができる。
【００１２】
図１に示すように、コミュニケーション管理システムは、高齢者などのユーザ（見守り対象者）側に設けられる各種装置、管理装置（コミュニケーション管理装置）３００、及びユーザを見守る家族等の見守り者側に設けられる情報端末装置４００を含み、互いに通信網を介して接続されている。
【００１３】
ユーザ側に設けられる各種装置としては、ユーザの生体情報を取得する生体情報計測装置１００、ユーザが居住する住居に主に設置されるセンサ装置２０１を備え、主に住居内のユーザの生活行動情報を取得する生活行動取得装置２００、及びユーザが操作可能な情報端末装置１５０が含まれる。
【００１４】
図２は、コミュニケーション管理システムを構成する各装置の構成ブロックを示す図である。
【００１５】
図２に示すように、生体情報計測装置１００は、ユーザの身体に装着されてユーザの生体情報を計測する装着型生体センサである。生体情報計測装置としては、ヘッドマウント型や手首に着装するリスト型などがあり、公知の生体情報計測装置を用いることができる。生体情報計測装置１００は、有線通信や無線通信、赤外線通信などの通信制御を行う通信部１０１を備え、管理装置３００や管理装置３００と接続される他の通信機器（ユーザが所持又は携帯する携帯電話機、多機能携帯電話機、携帯情報端末（ＰＤＡ）、タブレット端末装置等）との間で、データ通信を行うことができる。
【００１６】
なお、生体情報計測装置１００を装着したユーザが住居外にいる場合でも、無線通信や赤外線通信などの通信制御を行う通信部１０１により管理装置３００や管理装置３００と接続される住居に設置された他の通信機器との間でデータ通信を行うことができる。また、ＧＰＳ機能を有する携帯電話をユーザが保持している場合は、ユーザの居場所の特定が可能であり、在宅中や外出中の生活行動情報と共に、外出先などの情報の取得も可能である。
【００１７】
生体情報計測装置１００は、センサモジュール１０２を複数備えている。センサモジュールは、心拍数、脈拍、血圧（脈波），体温等の各種生体情報を計測するセンサ装置である。各センサモジュールは、指先、胸部、頭部などの身体の一部に張り付けることができ、脈拍、心拍数、ＧＳＲ（Galvanic Skin Response）、体温（体表面温度）、血圧、心電図、脳波などの生体情報を計測する。また、計測される生体情報としては、嚥下音や心臓の鼓動音などの生体音、ユーザの表情などを含むことができる。この場合、生体情報計測装置１００は、カメラなどの撮影機能を備えることもできる。なお、生体情報計測装置１００は、加速度センサや歩数計、集音マイクなどの後述する生活行動情報取得機能を備えることもできる。
【００１８】
生体情報計測装置１００は、全ての生体情報を計測するために複数のセンサモジュールが一体化されている必要はなく、それぞれの計測機能（センサモジュール）ごとに複数の装置が分かれていてもよい。すなわち、複数の生体情報計測装置それぞれで複数の生体情報が計測されたり、１つの生体情報計測装置で複数の生体情報が計測されるように構成することができる。また、複数の生体情報のうち、例えば、脈拍と体温を１つのセンサモジュールで計測してもよく、１つのセンサモジュールが１つ又は複数の生体情報を計測してもよい。
【００１９】
また、生体情報計測装置１００としては、ユーザの身体に装着される装着型の生体センサ以外にも、ユーザの住居に据え置かれる据置型生体情報計測装置を含むことができる。例えば、血圧計、体重計などがある。この場合、血圧計や体重計に通信機能が設けられ、管理装置３００と接続される住居に設置された他の通信機器や装着型の生体情報計測装置１００を介して、管理装置３００との間でデータ通信を行うことができる。
【００２０】
また、据置型生体情報計測装置は、同居する複数のユーザが利用する場合がある。このため、ユーザのＩＤ等の認証情報とともに生体情報を管理装置３００へ送信することでユーザ毎の生体情報の計測情報の管理が可能となる。更に、血圧計や体重計などの据置型生体情報計測装置の通信機能から直接、管理装置３００にユーザのID等の認証情報とともに生体情報を送信することも可能である。更には、管理装置３００と接続される住居に設置されていないが、管理装置３００と通信可能な携帯電話やインターネット（例えば、WiFi（登録商標））などのメディアを介しての通信も可能である。
【００２１】
生体情報計測装置１００で計測した生体情報に計測時刻を対応付けて逐次、管理装置３００に送信するが、例えば、生体情報計測装置１００や他の通信機器（後述する情報端末装置１５０など）に、時系列に取得された複数の生体情報を一時記憶させておき、管理装置３００が所定のタイミングで複数の生体情報を一度に取得するように構成することもできる。この場合、生体情報を常時送信する必要がなく、データ通信量を制御することが可能となる。
【００２２】
生活行動取得装置２００は、ユーザが居住する住居内に設置される人感センサ、赤外線センサ、圧力センサ、温度センサ、カメラ（撮影装置）、集音マイク、消費電力計測センサ、水道量計測センサ、ガス計測センサなどのセンサ装置２０１と接続され、ユーザの行動に対応した各種のセンサ装置２０１の検出情報を生活行動情報として取得する。
【００２３】
生活行動取得装置２００は、処理部２０２がセンサ装置２０１から出力される検出情報を処理してユーザの生活行動情報を時系列に出力し、通信部２０３を介して管理装置３００に伝送する。生活行動情報は、センサ装置２０１が検知したタイミングで逐次取得することができ、また、他のセンサと連動した所定のタイミング、例えば、人感センサでユーザを検出したタイミングで映像や音の収集を開始するようにしてもよい。
【００２４】
生活行動取得装置２００は、ユーザの住居内のエアコン、ヒーター、洗濯機、掃除機、ドライヤーやテレビジョン装置などの家電製品、電力計や給湯器、ＩＨクッキングヒーター、ガスコンロなどの電気ガス器具、上下水道のメーター機器と有線通信で又は無線通信で接続することができ、製品や機器の使用状況やスイッチのオン／オフ操作等をユーザの生活行動情報として取得することができる。
【００２５】
なお、上述したように、ユーザの生活に対応した生活行動情報を取得する機能の一部が、生体情報計測装置１００に設けられるように構成することもできる。つまり、生体情報計測装置１００を、生活行動取得装置２００として構成することもでき、また、その逆（生活行動取得装置２００が生体情報計測装置の機能を担うように構成されること）も可能である。生体情報及び生活行動情報の取得方法に応じて、生体情報及び生活行動情報を１つの装置で取得するように構成したり、分離した個別の装置で取得するように構成できる。
【００２６】
また、生活行動取得装置２００は、センサ装置２０１と一体的に構成されていてもよい。つまり、各センサ装置２０１が通信機能を備えて管理装置３００との間でデータ通信を行ったり、検出した生活行動情報を所定のデータ又はデータ形式に演算、加工したり、計測時刻を付加するなどの処理機能を備えたセンサ装置２０１として構成することができる。
【００２７】
また、生活行動取得装置２００のその他の例としては、例えば、ユーザ側の情報端末装置１５０がある。情報端末装置１５０を介したユーザ自身の入力操作によって取得される情報（服薬確認画面から「服薬した」ボタンを選択するなど）を、生活行動情報として管理装置３００に収集されるようにしてもよい。また、情報端末装置１５０が備えるカメラ（撮影装置）、集音マイクで生活行動情報を取得することができる。
【００２８】
情報端末装置１５０は、例えば、ユーザが使用するタブレット端末装置（タブレットコンピュータ）である。情報端末装置１５０は、管理装置３００が提供するサービスを利用する複数のユーザそれぞれが所持しており、居住内又は外出先で利用することができる。なお、ユーザは、複数台の情報端末装置１５０を保持してもよい。
【００２９】
本実施形態の情報端末装置１５０は、通信網を介して管理装置３００との間の通信制御を行う通信部１５１、表示部１５３を通じた表示制御及び入力制御を遂行する制御部１５２、入力装置としてのタッチパネルを備えた表示部１５３、及び記憶部１５４を含んで構成されている。スピーカーや集音マイク、各種操作ボタンなども備えることができる。
【００３０】
また、情報端末装置１５０は、管理装置３００に接続される他の複数のユーザの情報端末装置１５０と通信網（ＩＰ網、電話回線網を含む）を介して接続することができる。この場合、管理装置３００を経由して他の情報端末装置１５０と接続したり、直接に他の情報端末装置１５０と接続することができる。これらの接続制御は、通信部１５１によって遂行され、無線又は有線での通信機能が実現される。
【００３１】
情報端末装置１５０は、生体情報計測装置１００及び生活行動取得装置２００（センサ装置２０１を含む）と有線で又は無線で通信を行うことができる。上述したように、情報端末装置１５０は、生体情報計測装置１００及び生活行動取得装置２００との間で通信し、生体情報及び生活行動情報を受信することができる。管理装置３００に生体情報及び生活行動情報を送信する通信装置として機能する情報端末１５０は、生体情報及び生活行動情報にユーザＩＤや時刻などのヘッダー情報を付加して、管理装置３００に送信したり、記憶部１５４に生体情報及び生活行動情報を管理装置３００と連携して又は独立して記憶する記憶部として機能することができる。
【００３２】
また、情報端末装置１５０は、所定のメニュー画面を表示部１５３に表示させ、メニュー画面上のユーザの入力操作に応じた機能を提供することができる。例えば、メール機能（手書き入力機能を含む）、通話（テレビ電話を含む）機能、インターネットサイトへの接続機能、ユーザの生体情報や健康状態を表示する機能、服薬確認の入力機能などがある。これらの機能は、各種任意の画面を表示部１５３に表示させ、タッチパネルでの入力操作に応じた入力制御や各種画面の表示制御を行う。なお、画面情報は、予め記憶部１５４に記憶させたり、その都度管理装置３００から画面情報（又は表示情報を含む画面情報）を取得することができる。
【００３３】
さらに、本実施形態の情報端末装置１５０は、管理装置３００から提供されるコミュニケーションネットワーク情報に基づいて、所定のコミュニケーションネットワーク画面を表示部１５３に表示し、コミュニケーションネットワーク画面に表示される他のユーザとの間のコミュニケーション機能を提供する。例えば、コミュニケーションネットワーク画面に他のユーザのアイコンを表示し、ユーザがアイコンを選択すると、メールやメッセージの送信、通話ができるように機能させることができる。
【００３４】
このように本実施形態の情報端末装置１５０は、管理装置３００との間での通信を行い、健康や生活行動を見守るための入出力インターフェースとして使用することができるとともに、システムメンバ内の他のユーザやシステムメンバ外のユーザとのメッセージ交換、通話等のコミュニケーション装置として機能することができる。
【００３５】
ここで、管理装置３００について説明する。管理装置３００は、生体情報計測装置１００及び生活行動取得装置２００それぞれで取得されるユーザの生体情報と生活行動情報とを記憶し、ユーザの生活行動情報からユーザの生活行動状況を推定したり、生体情報に基づくユーザの健康状態の判定（推定）を行うことができる。
【００３６】
管理装置３００は、制御部３１０、記憶部３２０、及び通信制御部３３０を備える。通信制御部３３０は、ユーザの生体情報計測装置１００、生活行動取得装置２００及び情報端末装置１５０との間のデータ通信を制御するとともに、見守り側の情報端末装置４００との間の通信制御を行う。
【００３７】
制御部３１０は、ユーザの生活行動情報に基づいてユーザの生活行動状況を推定する行動推定部３１１と、ユーザの生体情報に基づいてユーザの健康状態を判定する健康状態判定部３１２と、コミュニケーションネットワーク制御部３１３と、を含んで構成されている。
【００３８】
記憶部３２０は、生体情報計測装置１００から受信したユーザの生体情報３２１をユーザ別に記憶する。例えば、各生体情報毎に時刻と計測値とを時系列に記憶することができる。また、生活行動取得装置２００から受信したユーザの生活行動情報３２２をユーザ別に記憶する。例えば、センサ装置２０１毎に検出される検出情報それぞれを検出時刻と共に時系列に記憶する。
【００３９】
行動パターンナレッジ情報３２３は、センサ装置２０１で検出された検出情報に対応する行動パターンを予め規定した情報であり、行動推定部３１１は、行動パターンナレッジ情報３２３を参照し、行動パターンに対応する生活行動情報３２２とマッチングして、ユーザの生活行動状況を識別する。
【００４０】
例えば、布団やベッドなどの寝床に設置された圧力センサの検出情報が変化し、ユーザの体重に応じた圧力から低い圧力となった場合、ユーザが起床したことを把握することができる。この場合、加速度センサによってユーザの姿勢を判断し、圧力センサと加速度センサの複数の生活行動情報に基づいて、ユーザが起床したことを把握することもできる。行動パターンナレッジ情報３２３には、例えば、「起床」というユーザの行動に対して生活行動情報（圧力センサで検出された圧力変動や加速度センサによる姿勢検出など）が予め関連付けられており、行動推定部３１１は、行動パターンナレッジ情報３２３を参照し、時系列で取得されるユーザの生活行動情報をマッチングし、ユーザの生活行動状況を識別する。このとき、行動推定部３１１は、ユーザ別に推定された生活行動状況を時系列に並べて記憶部３２０に記憶することができる。
【００４１】
また、生活行動情報として取得される音声情報から、「くしゃみをした」、「咳をした」、「おならをした」、「ゲップをした」、「笑っている」、「泣いている」などのユーザの生体音に基づく生活行動を把握することができる。例えば、予め、各生活行動に対する音声情報（ユーザ自身の音声又はサンプル音声）を予め記憶しておき、取得された音声情報とマッチングすることで、ユーザの生活行動状況を推定することができる。
【００４２】
また、音声情報と他の生活行動情報を組み合わせて、ユーザが転倒したり、ドアや壁にぶつかった行動を把握することができる。例えば、音声情報が取得される同じタイミングで加速度センサによってユーザの姿勢を取得し、予めサンプリングされた衝突音とユーザの姿勢情報（うずくまっているなど）から、ユーザが「転倒した」行動を把握することができる。
【００４３】
また、ユーザが「掃除をしている」、「洗濯をしている」、「皿洗いをしている」、「ドライヤーをかけている」、「テレビを見ている」などの行動も把握することができる。行動推定部３１１は、例えば、生活行動取得装置２００で取得される洗濯機や掃除機が稼働中である信号を生活行動情報として取得したり、水道メーターから水の連続使用状況を生活行動情報として取得することができる。また、ドライヤーやテレビのスイッチのオン／オフ操作を生活行動情報として取得することができる。
【００４４】
このとき、行動推定部３１１は、生活行動取得装置２００で取得される家電製品等の稼働状況やスイッチのオン／オフの生活行動情報と共に、音声情報を取得し、音声情報と組み合わせて、例えば、掃除機のスイッチがオンであり、音声情報によって掃除機の駆動音が検知された場合、ユーザが「掃除をしている」と推定することもできる。また、テレビのスイッチがオンであり、笑い声や泣き声を音声情報として取得された場合、ユーザの行動が「テレビを見ている」状態であることを把握することができる。
【００４５】
また、把握されたユーザの生活行動状況は、時系列に並べることでユーザの生活リズムを把握することができる（図１４参照）。行動推定部３１１は、推定された複数の生活行動状況を一日分時系列に並べた生活リズム情報を生成することができる。また、日別の生活リズムを配列した生活リズムの状態変化情報も生成することができる（図１７参照）。
【００４６】
なお、生活行動取得装置２００それぞれで取得される生活行動情報３２２から把握されたユーザの生活行動状況や生活リズムなどは、時系列にユーザ別の見守り情報３２５として記憶部３２０に記憶される。行動推定部３１１は、通信網を通じてリアルタイムに取得される生活行動情報３２２を用い、行動パターンナレッジ情報３２３を参照して、逐次又は所定のタイミングでユーザの生活行動状況を把握（生成）し、時系列に生活行動状況を見守り情報３２５として記憶部３２０する。見守り情報３２５に含まれる生活リズム情報も、行動推定部３１１が逐次又は任意のタイミングで、見守り情報３２５に記憶される各生活行動状況を時系列に並べ、所定のフォーマットに加工して生成される。
【００４７】
管理装置３００が具備する行動推定部３１１及び生活パターンナレッジ情報３２３は、情報端末装置１５０が具備する形態でもよい。情報端末装置１５０が行動推定部３１１及び生活パターンナレッジ情報３２３を具備する場合、情報端末装置１５０の行動推定部３１１は、生活パターンナレッジ情報３２３を参照し、生活行動取得装置２００から通信部１５１を介して取得した生活行動情報３２２とマッチングして、ユーザの生活行動状況を識別する。情報端末装置１５０は、生活行動取得装置２００から取得した生活行動情報３２２及び行動推定部３１１で判定した生活行動状況をユーザ情報と関係づけて記憶部１５４に記憶する、または通信部１５１から管理装置３００へ送信し、管理装置３００の記憶部３２０へ記憶する。
【００４８】
次に、健康状態判定部３１２について説明する。健康状態ナレッジ情報３２４は、生体情報３２１からユーザの健康状態を判定する判定情報である。
【００４９】
例えば、血圧や体温などの閾値が健康状態ナレッジとして記憶されており、健康状態判定部３１２は、健康状態ナレッジ情報３２４を参照して、生体情報３２１が各生体情報における判定値（上限値や下限値）を超えているか、判定値として規定される上限値と下限値の範囲内か、などを判断する。
【００５０】
例えば、いずれの生体情報も判定値を超えていない（正常と判定される判定値内）と判断された場合、健康状態判定部３１２は、ユーザの健康状態を「正常」と判定する。また、生体情報が正常と判定される判定値を超えているものの、異常と判定される判定値を超えていない場合、言い換えれば、正常と判定されないものの、異常とも判定されない場合は、健康状態判定部３１２は、ユーザの健康状態を「正常」と「異常」の間の健康状態として「非正常」と判定する。いずれかの生体情報が判定値を超えている（異常と判定される判定値内）と判断された場合、健康状態判定部３１２は、ユーザの健康状態を「異常」と判定する。
【００５１】
また、判定される健康状態の各「正常」、「非正常」、「異常」は、それぞれをさらに細かく判定することも可能である。例えば、「正常」を「良好」、「普通」に分けて判定することができる。このとき、判定値も「良好」、「普通」毎に健康状態ナレッジ情報として記憶することができる。同様に、例えば、「異常」を「軽度」、「重度」に分けて判定することもできる。健康状態を判定する判定値に応じて任意にステータスを関連付けておくことで、行動情報３２２から推定される生活行動状況に応じた生体情報から健康状態を任意のステータスで判定することができる。
【００５２】
健康状態判定部３１２によって判定された健康状態は、ユーザ別に見守り情報３２５に記憶される。判定された健康状態に対応するユーザの生活行動状況を対応付けて健康状態を記憶することもできる。例えば、「起床」というユーザの生活行動状況に対して生体情報から判別された健康状態「正常」とを関連付けて記憶し、ユーザの生活行動状況と関連付けて時系列に健康状態を把握できるようにすることができる。
【００５３】
つまり、健康状態判定部３１２は、生活行動状況が推定される度に、推定された生活行動状況に対応する生体情報からユーザの健康状態を判定し、生活行動状況毎に判定された健康状態を関連付けることができる。また、午前、午後、一日単位で判定された複数の健康状態を平均化して、平均化された健康状態を一日に一回、又は午前と午後に分けてそれぞれ一回ずつ健康状態を判定するようにしてもよい。
【００５４】
なお、本実施形態の健康状態判定部３１２によるユーザの健康状態判定処理は、生体情報３２１のみから健康状態を把握することもできるが、生活行動情報３２２から推定されたユーザの生活行動状況を考慮し、生体情報３２１及び生活行動状況の双方を用いて、ユーザの健康状態を判定することもできる。
【００５５】
例えば、階段を上った際に計測される生体情報は、安静時に比べて運動負荷がかかった状態の生体情報であるため、正確にユーザの健康状態を把握（判定）できないおそれがある。そこで、階段下に設置された人感センサと階段上に設置された人感センサそれぞれで時系列にユーザの移動が検出された場合、ユーザの生活行動状況を「階段を上る」と推定することができる。健康状態を判定する場合に階段を上っている生活行動状況が把握された場合は、判定情報に対して形式的に健康状態が「異常」と判定されても、最終的に判定される健康状態は、「正常」又は「非正常」として判別されるようにする。なお、ユーザの健康状態の判定順序としては生体情報、生活行動情報の利用順はどちらか先であってもよい。
【００５６】
管理装置３００は、ユーザが操作可能な情報端末装置１５０と通信網を介して接続されているので、制御部３１０は、把握されたユーザの生活活動情報（生活行動状況）や生活リズム、生体情報、健康状態を情報端末装置１５０に提供し、視覚（通知）又は聴覚（音声出力）で把握できるように制御することができる。
【００５７】
また、管理装置３００は、ユーザを見守る側の見守り者の情報端末装置４００とネットワークを介して接続されているので、同様に、把握されたユーザの生活行動情報や生活リズム、生体情報、健康状態を情報端末装置４００に提供し、見守り者側の家族等が視覚的に把握できるように制御することができる。
【００５８】
また、予め健康状態に応じて、画面表示や通報ルールなどを記憶部３２０に記憶しておき、健康状態判定部３１２によって判定されたユーザの健康状態に応じた所定の画面や通知を見守り者側の情報端末装置４００や医療機関などに表示させるように制御することも可能である。
【００５９】
尚、管理装置３００が具備する健康状態判定部３１２及び健康状態ナレッジ３２４は、情報端末装置１５０が具備する形態でもよい。情報端末装置１５０が健康状態判定部３１２及び健康状態ナレッジ３２４を具備する場合、情報端末装置１５０の健康状態判定部３１２は、健康状態ナレッジ３２４を参照して、生体情報計測装置１００から通信部１５４を介して取得した生体情報３２１からユーザの健康状態を判定する。情報端末装置１５０は、生体情報計測装置１００から取得した生体情報３２１及び健康状態判定部３１２で判定したユーザの健康状態をユーザ情報と関係づけて記憶部１５４に記憶する、または通信部１５１から管理装置３００へ送信し、管理装置３００の記憶部３２０へ記憶する。
【００６０】
次に、本実施形態のコミュニケーションネットワークの形成と、形成されたコミュニケーションネットワークを利用した複数のユーザ間のコミュニケーション機能について説明する。
【００６１】
本実施形態では、ユーザの生体情報（生体情報から把握される健康データや健康状態を含む）や生活行動状況から、ユーザ間のコミュニケーションネットワークを動的に形成し、ユーザ同士の健康や生活に関するコミュニケーションの活性化を支援するために、コミュニケーションネットワーク制御部３１３を備えている。
【００６２】
コミュニケーションネットワーク制御部３１３は、図３に示すネットワーク定義情報をコミュニケーションのネットワーク形成要素として用い、複数のユーザ別に日々の生活で動的に取得される生体情報又は／及び生活行動情報に応じたコミュニケーションネットワークを生成するとともに、動的に取得されるユーザの生体情報又は／及び生活行動情報それぞれをネットワーク形成要素として、コミュニケーションネットワーク情報を生成する。生成されたコミュニケーションネットワーク情報は、情報端末装置１５０を介したユーザ同士のコミュニケーションの場として提供される。
【００６３】
図３において、ネットワーク定義情報３２６は、動的な定義情報と静的な定義情報とが含まれる。動的な定義情報は、第１カテゴリとして「リアルタイム」、「パターン」、「ランキング」、「スケジュール」などを含んでいる。また、静的な定義情報は、第１カテゴリとして各ユーザの「プロファイル」、ネットワーク上での「顔見知り度」などを含んでいる。
【００６４】
動的な定義情報の第１カテゴリ「リアルタイム」は、複数の下位の第２カテゴリと紐付いており、第２カテゴリとして、生体情報計測装置１００及び生活行動取得装置２００で取得されるユーザの生体情報、生活行動（生活行動状況）、生体音などが含まれている。
【００６５】
そして、第２カテゴリ内には、複数のデータ種別が含まれており、「生体情報」には、血圧、体重、体温等のデータ種別が関連付けられている。これらのデータ種別は、本実施形態の生体情報３２１、生活行動情報３２２及びユーザ別見守り情報３２５に記憶される各情報に対応している。言い換えれば、記憶部３２０に記憶される生体情報３２１、生活行動情報３２２及びユーザ別見守り情報３２５の各情報は、ネットワーク定義情報の各データ種別と紐付いて記憶される。
【００６６】
また、第２カテゴリの「パターン」は、生活リズム情報であり、ユーザ別見守り情報３２５に記憶されるユーザの日々の生活リズムに対応している。ユーザ別見守り情報３２５には、ユーザ毎に日々の生活リズム情報が所定期間分、データ種別「生活リズム」として記憶されている。
【００６７】
その他に、第１カテゴリの「ランキング」や「スケジュール」は、ユーザの生体情報及び生活行動、生活音とは異なり、例えば、情報端末装置１５０を通じたゲームやカラオケ、情報端末装置１５０に入力された運動実績といったユーザの趣味・趣向に応じた日々の能動的なアクションに対応する情報である。データ種別としては、ゲームやカラオケの点数、歩数などがある。これらの情報も日々のユーザの能動的なアクションで変化するので、動的なネットワーク定義情報として分類されている。
【００６８】
また、第１カテゴリの「ネットワーク」は、ユーザ間の繋がり度合い（親密度）を表す「顔見知り度」が含まれている。顔見知り度は、データ種別として、例えば、ユーザ間でのメール数、電話やテレビ電話での通話時間や回数などを含むことができる。コミュニケーション度合いが高いほど、そのユーザ間の顔見知り度が高いものとなる。よって、コミュニケーション度合に応じて顔見知り度が変化するので、動的なネットワーク定義情報として分類されている。
【００６９】
一方、静的な定義情報の第１カテゴリ「プロファイル」は、ユーザの属性情報であり、ユーザ情報３２７として記憶部３２０に予め記憶されている。「プロファイル」の第２カテゴリとして「居住地」、「年齢」、「身体」、「体質」、「趣味」などがあり、ユーザ自身によって任意に登録される個人情報である。例えば、情報端末装置１５０から所定の登録画面を介して入力、変更することができる。
【００７０】
また、データ種別は、さらにグループ情報と関連付けることができる。図３下段に示すように、例えば、データ種別「血圧」は、血圧値に応じて複数の血圧タイプに細かく分類することができる。各血圧グループの閾値は、任意に設定できる。
【００７１】
このグループ情報は、生体情報３２１を複数の各タイプに区分するための定義情報であり、生体情報３２１や生活行動情報３２２、ユーザ別見守り情報３２５においても利用される。つまり、各ユーザの生体情報３２１等に対して各グループ定義に従ったグループ（例えば、血圧タイプ）を関連付けて予め記憶させるように構成することもできる。
【００７２】
図４は、本実施形態のコミュニケーションネットワークの生成処理フローを示す図である。図４の例では、情報端末装置１５０が、生体情報計測装置１００で計測された生体情報及び生活行動取得装置２００で取得された生活行動情報を管理装置３００に送信する態様を示している。
【００７３】
図４に示すように、情報端末装置１５０は、生体情報計測装置１００から生体情報又は／及び生活行動取得装置２００から生活行動情報を受信すると（Ｓ１０１）、生体情報又は／及び生活行動情報（以下、生体情報等という）を管理装置３００に送信する（Ｓ１０２）。
【００７４】
管理装置３００は、生体情報等を受信し（Ｓ３０１，Ｓ３０２）、記憶部３２０にユーザ別に生体情報等を記憶する。管理装置３００では、受信した生体情報をデータ種別毎に記憶部３２０に記憶する。このとき、管理装置３００（制御部３１０）は、データ種別に関連付けられるグループ定義情報（図３下段）を参照し、生体情報等のグループ情報（例えば、血圧タイプ）を判別する。判別されたグループ情報を付加して生体情報等を記憶部３２０に記憶することができる。
【００７５】
また、管理装置３００は、生活行動情報の受信に伴って行動推定処理を行い、ユーザの生活行動状況を特定（判別）して、ユーザ別見守り情報３２５として記憶部３２０に記憶することができる。生活行動情報３２２に、把握された生活行動状況を記憶してもよい。
【００７６】
なお、上述したように、管理装置３００は、生体情報等の受信に伴ってユーザの健康状態判定処理を行うこともできる。この場合、判定されたユーザの健康状態は、ユーザ別見守り情報３２５として各ユーザ別に記憶され、制御部３１０が、ユーザの情報端末装置１５０や見守り側の情報端末装置４００に、ユーザの健康状態を把握できるように、通知や表示処理を行うことができる。
【００７７】
次に、管理装置３００は、受信した生体情報等に基づいて、コミュニケーションネットワークの生成処理を遂行する（Ｓ３０４）。図５は、本実施形態のコミュニケーションネットワーク生成処理の詳細フローを示す図である。
【００７８】
図５に示すように、管理装置３００（コミュニケーションネットワーク制御部３１３）は、情報端末装置１５０からユーザＩＤ及び生体情報等を受信すると（Ｓ３００１）、受信した生体情報等のデータ種別を判別し（Ｓ３００２）、データ種別をキーに、生体情報３２１やユーザ別見守り情報３２５を参照して、他のユーザとデータ種別に該当する計測・取得データ（生活行動状況、生活リズム等を含む）を、ネットワーク構成メンバとして抽出する（Ｓ３００３）。
【００７９】
このとき、管理装置３００は、図６に示すコミュニケーションネットワークにおける生体情報や生活行動状況等の開示・非開示設定情報を参照し、キーとなるデータ種別の開示・非開示設定を確認する。記憶部３２０に記憶される開示・非開示設定情報は、ネットワーク定義情報の各カテゴリ毎に、その情報の開示・非開示をユーザ別に設定したものであり、ユーザ自身が任意に設定することができる。なお、図６の例においてネットワーク１は、ユーザの趣味や趣向などで予め繋がれたコミュニケーションネットワークグループであり、近隣ネットワークは、ユーザ情報に含まれるユーザの居住地に対して所定に範囲の近隣に住んでいる他のユーザを予めグループ化したものである。家族ネットワークは、ユーザの家族を予めグループ化したものである。これらのユーザ同士が生体情報や生活行動状況とは関係なく趣味や趣向などで予め繋がれたコミュニケーションネットワークなどは、ユーザ情報３２７に予め記憶してことができる。
【００８０】
管理装置３００は、データ種別をキーに、他のユーザとデータ種別に該当する計測・取得データ（生活行動状況、生活リズム等を含む）を、ネットワーク構成メンバとして抽出する。このとき、キーとなるデータ種別の開示・非開示設定情報が開示設定のユーザのみ（非開示のユーザを除いて）が対象となっている。
【００８１】
管理装置３００は、キーとなるデータ種別にグループ情報が設定されている場合、抽出したネットワーク構成メンバである各ユーザを、グループ毎に紐付けることができる（Ｓ３００４）。
【００８２】
管理装置３００は、抽出されたネットワーク構成メンバを、生体情報等をネットワーク形成要素としたコミュニケーションネットワーク情報を生成する（Ｓ３００５）。このとき、データ種別全体でのネットワーク情報において、各メンバはさらに紐付けられたグループ毎にグルーピングされるように、コミュニケーションネットワーク情報を生成することができる。
【００８３】
図４に戻り、管理装置３００は、生成されたコミュニケーションネットワーク情報を、ユーザの情報端末装置１５０に提供する処理を実行する（Ｓ３０５）。具体的には、コミュニケーションネットワーク情報を含む所定の画面を提供する。
【００８４】
情報端末装置１５０では、コミュニケーションネットワーク情報を受信すると、制御部１５２が、表示部１５３に所定フォーマットの画面でコミュニケーションネットワークを表示させる表示制御を遂行する（Ｓ１０３）。また、制御部１５２は、ユーザによってコミュニケーションネットワーク画面に表示されたメンバ（他のユーザ）が選択されると、選択されたユーザに対するメールや通話などのコミュニケーション機能を起動する（Ｓ１０４）。制御部１５２は、選択されたメンバの情報端末装置１５０との接続処理を行うとともに、コミュニケーション機能を介したコミュニケーション処理を制御する（Ｓ１０５）。
【００８５】
なお、情報端末装置１５０での他のユーザとのコミュニケーション結果は、管理装置３００に送信され、管理装置３００は、受信したコミュニケーション結果を用いてユーザ間の親密度を示す顔見知り度を更新する（Ｓ３０６）。
【００８６】
このように本実施形態のコミュニケーションネットワークは、ユーザの生体情報や生活行動状況の時々刻々又は日々変化する情報をキーに動的に生成され、複数のユーザ間でのコミュニケーションを支援する。ここで、本実施形態のコミュニケーションネットワークの生成処理は、２つの方法を含むことができる。
【００８７】
第１の方法は、本コミュニケーション管理システムに参加している全てのユーザの中で、ユーザ同士が生体情報や生活行動状況とは関係なく趣味や趣向などで予め繋がれたネットワークメンバを対象に、ユーザの生体情報や生活行動状況に応じて動的にネットワーク構成メンバを抽出して生成するものである。
【００８８】
趣味や趣向などで予め繋がれたネットワークメンバのメンバグループ情報は、ユーザ情報３２７として記憶部３２０に記憶しておくことができ、ユーザ自身が希望して参加したコミュニケーションネットワークである。ユーザは、情報端末装置１５０から、所定の画面を介して参加したいコミュニケーションネットワークを登録したり、変更したりすることができる。また、自らコミュニケーションネットワークを立ち上げることもでき、他のユーザが参加可能な趣味や趣向などで予め繋がれるコミュニケーションネットワークを新たに登録することもできる。
【００８９】
第１の方法において、ユーザは、当該ユーザの生体情報や生活行動状況の時々刻々又は日々変化する情報をキーに動的に生成されるコミュニケーションネットワークの生成に際し、趣味や趣向などで予め繋がれる１つ又は複数のコミュニケーションネットワーク内のメンバを対象とすることを範囲指定しておくことができる。管理装置３００は、例えば、図５におけるステップＳ３００３において、指定された範囲内の趣味や趣向などで予め繋がれる１つ又は複数のコミュニケーションネットワーク内の各メンバを、データ種別をキーに抽出することができる。趣味や趣向などで予め繋がれる１つ又は複数のネットワークの範囲を指定する情報は、ユーザ情報３２７にユーザ別に記憶しておくことができる。
【００９０】
第２の方法は、本コミュニケーション管理システムに参加している全てのユーザを対象に、ユーザの生体情報や生活行動状況に応じて動的にネットワーク構成メンバを抽出して生成するものである。
【００９１】
第２の方法では、第１の方法に比べて、趣味や趣向などで予め繋がれる１つ又は複数のネットワーク以外の他のユーザが、ユーザの生体情報や生活行動状況に応じて動的にネットワーク構成メンバに抽出されるので、初見のユーザ（初めて出会うユーザ）とのコミュニケーションを支援することができる。
【００９２】
また、第１の方法及び第２の方法において、例えば、同じタイミングで計測又は取得された生体情報や生活行動情報の各ユーザをネットワーク構成メンバとして抽出することができる。例えば、同時期に掃除機を掛けている他のユーザ群で構成されるコミュニケーションネットワークを形成することができる。この場合、生体情報等に付随する時間情報を参照することで、同じタイミング又は同じタイミングと同視できる所定時間内の他のユーザを、データ種別をキーに抽出することができる。
【００９３】
また、血圧などの生体情報は、ユーザ間で計測時刻が異なる場合がある。この場合、血圧をキーとして他のユーザを抽出するが、時間的な範囲を指定せずに、前回以降の過去の血圧の計測結果を有するユーザを対象に、ネットワーク構成メンバを抽出することもできる。また、逆に、現時点から所定時間内に最新の血圧計測結果がないユーザを対象外としてコミュニケーションネットワークを形成することもできる。
【００９４】
さらに、生活リズムをキーにした場合、一日の生活リズムが生成された後の所定のタイミング又はユーザの能動的なアクションによる任意のタイミングで、本コミュニケーション管理システムに参加している全てのユーザを対象に、又は趣味や趣向などで予め繋がれる１つ又は複数のコミュニケーションネットワーク内を対象に、生活リズムに関するコミュニケーションネットワークを生成することができる。
【００９５】
図７は、血圧コミュニケーションネットワークの一例を示す図である。図７に示す血圧コミュニケーションネットワークは、例えば、あるユーザ（あなた）の血圧計測データが管理装置３００に送信されると、管理装置３００は、血圧をキーに、血圧計測データを有する他のユーザをネットワーク構成メンバとして抽出し、血圧コミュニケーションネットワークを生成する。この場合、上述したように、本コミュニケーション管理システムに参加している全てのユーザを対象に、又は趣味や趣向などで予め繋がれる１つ又は複数のコミュニケーションネットワーク内を対象に、生成することができる。また、血圧を計測した時間的な範囲やタイミングを指定せずに、又は指定した時間的範囲の条件で、ネットワーク構成メンバを抽出して生成することもできる。
【００９６】
図７の例では、縦軸が収縮期血圧、横軸が拡張期血圧であり、図３下段の例に示した血圧のタイプ別の、収縮期血圧と拡張期血圧とが区分された各表示領域（血圧タイプＡ〜Ｆ）を含むマトリクス図上に、各血圧タイプのユーザそれぞれを配置してマッピング表示したものである。例えば、収縮期血圧（上の血圧）が１３０−１３９かつ拡張期血圧（下の血圧）が９０未満、または収縮期血圧（上の血圧）が１４０未満かつ拡張期血圧（下の血圧）が８５−８９の領域を正常高値血圧（タイプＣ）とする（出典：高血圧治療ガイドライン２００９，日本高血圧学会発行）。他のユーザの検索は、プライバシ保護の観点から血圧の値ではなく、血圧タイプでネットワーク構成メンバとして抽出し、血圧コミュニケーションネットワークを生成することもできる。
【００９７】
血圧コミュニケーションネットワーク内のユーザは、名前等を含むアイコンで表示することができ、アイコンをタッチパネル形式で選択することができる。任意のユーザを選択することで、選択したユーザとの間でメールを送ったり、テレビ電話等で通話による会話を行うことができる。ユーザ自身のアイコンは、「あなた」が表示されており、自分を含む各ユーザに対応するアイコンが、各ユーザの血圧タイプで区分された各表示領域それぞれに配置されている。
【００９８】
なお、図７の例では、全ての血圧タイプのユーザそれぞれを含む血圧コミュニケーションネットワークであるが、例えば、血圧タイプ別の血圧コミュニケーションネットワークも提供することができる。
【００９９】
図８は、血圧タイプ別の血圧コミュニケーションネットワークの一例である。図８に示すように、例えば、血圧タイプＣの属する血圧計測データを有する他のユーザのみがネットワーク構成メンバとして表示される。このとき、自分自身と他のユーザとの顔見知り度が低いほど、ユーザ自身のアイコンと他のユーザとのアイコンの距離を長くして配置し、顔見しり度が高いほど、アイコン間の距離を短くして配置することができる。また、距離の長短ではなく、アイコンの大きさでユーザ自身と他のユーザの顔見知り度を表すこともできる。ユーザの顔見しり度が高いほど、他のユーザのアイコンを大きく表示し、顔見知り度が低いほど、他のユーザのアイコンを大きく表示することができる。
【０１００】
図９は、図７で示した血圧コミュニケーションネットワークに、過去と現在の血圧計測データの変化を表示した血圧コミュニケーションネットワークを示す図である。
【０１０１】
図９において、ユーザ自身（あなた）は、前回、血圧タイプＤに属していたが、今回の測定結果では、血圧タイプＣに変化したことが分かる。逆に、Ｂさんは、前回が血圧タイプＥに属していたが、今回は、血圧タイプＦになっている。このような血圧タイプ、すなわち、血圧で推定される健康状態の変化を、血圧コミュニケーションネットワーク内に表示することで、以前属していた血圧タイプでコミュニケーションしていた他のユーザとは異なるユーザとの会話をしたり、血圧タイプが悪くなった人に対してコミュニケーションを図ることができ、コミュニケーションの活性化を支援できる。
【０１０２】
図１０は、血圧変化を含むコミュニケーションネットワーク生成の処理フローを示す図である。図１０は、図５に示した生成処理フローにおいて、ステップＳ３００４Ａを追加しており、他のステップは、図５と同様である。
【０１０３】
ステップＳ３００４Ａでは、管理装置３００（コミュニケーションネットワーク制御部３１３）は、データ種別「血圧」をキーに抽出されたネットワーク構成メンバにおいて、一のユーザに対して今回の血圧タイプと前回の血圧タイプとをそれぞれ参照し、血圧タイプが前回と今回とで相違するか否かを判別する。相違する場合は、一ユーザに対して最新（今回）の血圧タイプと過去（前回）の血圧タイプの双方をユーザ別見守り情報３２５から抽出する。
【０１０４】
そして、ステップＳ３０５において、今回の血圧タイプに対応するアイコンをユーザ自身のアイコンとして該当する血圧タイプの表示領域に配置し、今回の血圧タイプに対して前回の血圧タイプからの変化を示す記号や矢印などの変化状態情報を、血圧タイプの表示領域を跨いで表示する。各ユーザの血圧変化に対して同様に表示させる。
【０１０５】
このように本実施形態では、単に各ユーザそれぞれで動的に取得される血圧計測データをコミュニケーションネットワーク上に表示するだけでなく、前回取得された第１の血圧計測データと今回取得された第２の血圧計測データをユーザ別に抽出し、第１の血圧計測データから第２の血圧計測データに変化した状態変化を含む血圧変化コミュニケーションネットワーク情報を生成することで、ユーザ自身の健康状態の変化や他のユーザ健康状態の変化を視覚的に把握することができ、かつ健康状態の変化をきっかけにコミュニケーションを活性化させることができる。
【０１０６】
図１１は、日別血圧変化表示型のコミュニケーションネットワークの一例を示す図である。図１１の例では、縦軸が血圧タイプ、横軸が日付であり、各ユーザの日別血圧変化をグラフ形式で表示したものである。各ユーザの血圧タイプの変化は、線グラフで表されており、ユーザそれぞれのアイコンと対応付けて線グラフが表示されている。図７の例と同様に、各ユーザを表すアイコンを選択することで、情報端末装置１５０を介し、選択したユーザとの間でメールや通話などのコミュニケーションを行うことができる。このような日々の生活の中で動的に取得される血圧（生体情報）を、時系列に並べたコミュニケーションネットワークを生成することで、各ユーザの健康状態の変化を過去にわたって視覚的に把握することができ、よりコミュニケーションを活性化させることができる。
【０１０７】
図１２は、本実施形態の生活行動コミュニケーションネットワークの一例を示す図である。ユーザ（あなた）が掃除機をかけている場合、管理装置３００は、当該ユーザの生活行動状況として「掃除機をかけている」ことを把握することができる。そこで、図４及び図５の処理フローで示したように、データ種別「掃除機をかけている」をキーに、同じタイミングで掃除機をかけている他のユーザをネットワーク構成メンバとするコミュニケーションネットワークを生成する。
【０１０８】
図１２の例では、本コミュニケーション管理システムに参加している全てのユーザ内で掃除機をかけている人数と現在時刻とが表示されており、生活行動コミュニケーションネットワークのネットワーク構成メンバは、ユーザ（あなた）の趣味や趣向などで予め繋がれる１つ又は複数のネットワーク内を対象に抽出された他のユーザである。このうち、ユーザ（あなた）とＢさんはテレビ電話で通話中である。
【０１０９】
図１３は、生活音コミュニケーションネットワークの一例である。図１３の例は、ユーザ（あなた）がくしゃみをした場合、管理装置３００は、当該ユーザの生活行動状況として「くしゃみをした」ことを把握することができる。そこで、図４及び図５の処理フローで示したように、データ種別「くしゃみ」をキーに、同じタイミングでくしゃみをした他のユーザをネットワーク構成メンバとするコミュニケーションネットワークを生成することができる。
【０１１０】
図１３の例では、図１２の生活行動コミュニケーションネットワークと同様に、本コミュニケーション管理システムに参加している全てのユーザ内でくしゃみをした人数と現在時刻とが表示されており、生活音コミュニケーションネットワークのネットワーク構成メンバは、ユーザ（あなた）の趣味や趣向などで予め繋がれる１つ又は複数のネットワーク内を対象に抽出された他のユーザである。
【０１１１】
図１４は、生活リズムコミュニケーションネットワークの一例である。上述のように生活リズム情報は、一日の各ユーザの生活行動状況を所定の時間単位で時系列に並べたものである。
【０１１２】
管理装置３００は、生活リズム情報をネットワーク形成要素として、例えば、趣味や趣向などで予め繋がれる１つ又は複数のネットワーク内の他の複数のユーザとユーザ自身（あなた）の同じ日の生活リズム情報が表示された生活リズムコミュニケーションネットワーク情報を生成することができる。なお、図１４の例では、例えば、時間設定やユーザの操作入力による電話不可設定、睡眠中といった生活行動状態などに応じて、生活リズムコミュニケーションネットワークの各ユーザのアイコンを非アクティブ表示（グレー）に表示している。
【０１１３】
図１５は、生活リズムコミュニケーションネットワークの生成処理フローを示す図である。図１５（ａ）及び図１５（ｂ）に示す各処理は、図４で示したステップＳ３０４の詳細フローを示している。
【０１１４】
図１５（ａ）は、情報端末装置１５０を介したユーザの入力操作（例えば、生活リズムコミュニケーションネットワークの生成を選択するボタン操作など）に応じて、管理装置３００は、本コミュニケーション管理システムに参加している全てのユーザ、又はユーザ（あなた）の趣味や趣向などで予め繋がれる１つ又は複数のコミュニケーションネットワーク内のユーザを対象に、各ユーザの現在時刻までの生活行動状況を含む生活リズム情報をそれぞれ抽出し、各ユーザ毎に生活リズム情報を表示した生活リズムコミュニケーションネットワークを生成することができる。
【０１１５】
図１６は、生活リズムのパターン定義情報である。例えば、健康な生活リズム、健康ではない生活リズムなどを段階的に予めパターン化して定義することができる（パターンＡ、Ｂ、・・・）。管理装置３００は、生活リズム情報を所定の各パターンに区分するためのパターン定義情報に基づいて、各ユーザの生活リズム情報の生活リズムパターンを判別することができる。
【０１１６】
また、図１５（ｂ）は、ユーザ自身がどの生活リズムのパターンであるかを判別することで、例えば、所定のパターンにマッチングする他のユーザをネットワーク構成メンバとして、生活リズムコミュニケーションネットワークを生成することができる。
【０１１７】
図１７は、生活リズムの変化及びパターン変化を示す図である。縦軸の日付順に日々のユーザ自身の生活リズムを配列するとともに、各生活リズムに対してパターン定義情報に対応する生活リズムパターンを状態変化情報として付加した一例を示している。
【０１１８】
判別された生活リズムのパターンを、日別に複数配列した生活リズム変化情報を生成することで、図１７に示すように、ユーザ（あなた）は、コミュニケーション管理システムを介した生体情報や生活行動状況に応じた動的なコミュニケーションネットワークを通じて、健康な生活であることや、健康な生活に変化していることを把握することができ、逆に生活パターンが悪くなっていれば、不健康な生活を送っている又は不健康な生活パターンになりつつあることを把握することができる。
【０１１９】
図１８は、健康とコミュニケーション変化の一例を示す図である。図１８の例では、一のユーザに対して日別に、生体情報の血圧タイプ、体重、歩数、睡眠時間、生活リズムなどの情報を表示するとともに、日々のコミュニケーション度合い（メール数、テレビ電話の回数や時間）を表示している。
【０１２０】
図１８の例のように、日々の生体情報や生活行動の変化とコミュニケーション度合いの変化とが把握できるので、例えば、運動量が多くなり、血圧や体重が減って健康になっていることを、生活リズムが良いパターンに変化している側面から把握することができる。また、コミュニケーション度合いが高くになるにつれて生活リズムが良いパターンに変化したり、健康になったことを把握することができる。つまり、本実施形態のコミュニケーションネットワークを通じた他のユーザとのコミュニケーションの向上によって、ユーザが健康な生活を送っていることが把握でき、よりコミュニケーションを活性化させることができる。
【０１２１】
図１９は、本実施形態の第１変形例に係るコミュニケーションネットワーク（ランキング）の生成処理フローを示す図である。
【０１２２】
図３に示したように、ネットワーク定義情報のランキングの各データ種別をネットワーク形成要素として、コミュニケーションネットワークを生成することができる。ユーザは、情報端末装置１５０のアプリケーションとしてインストールされているカラオケ機能やゲーム機能を所定の画面から起動し、カラオケやゲームを楽しむことができる（Ｓ７０１）。
【０１２３】
ユーザがカラオケ機能やゲーム機能で楽しんだ結果、つまり、カラオケやゲームの点数や所要時間などのプレイ結果は、情報端末装置１５０から管理装置３００に送信することができる（Ｓ７０２）。管理装置３００は、記憶部３２０に受信したプレイ結果をデータ種別毎に記憶し（Ｓ３０３）、ネットワーク定義情報３２６の第２カテゴリ又は各データ種別をキーにして、コミュニケーションネットワーク情報を生成することができる（Ｓ３０４）。なお、図１９におけるその他の各ステップは、図４で説明した各ステップと同様であるので、同符号を付してその説明を省略する。
【０１２４】
図２０は、本実施形態の第２変形例に係るコミュニケーションネットワーク（スケジュール）の生成処理フローを示す図である。
【０１２５】
図３に示したように、ネットワーク定義情報のスケジュールの各データ種別（訪問日時、場所）をネットワーク形成要素として、コミュニケーションネットワークを生成することができる。ユーザは、情報端末装置１５０のスケジュール画面から、訪問日時や訪問先の場所を入力することができる。入力された訪問日時や訪問先の場所は、スケジュール情報として、情報端末装置１５０が管理装置３００に送信する（Ｓ８０１）。
【０１２６】
ユーザのスケジュール情報を受信した管理装置３００は、記憶部３２０にデータ種別毎に記憶し（Ｓ３０３）、ネットワーク定義情報３２６の各データ種別をキーにして、コミュニケーションネットワーク情報を生成することができる（Ｓ３０４）。例えば、同じ訪問先の場所をネットワーク形成要素としたコミュニケーションネットワークを生成したり、訪問日時と訪問先とをネットワーク形成要素とし、所定の時間範囲（例えば、数日以内）でマッチングする他のユーザを構成メンバとしたコミュニケーションネットワークを生成することができる。図２０におけるその他の各ステップは、図４で説明した各ステップと同様であるので、同符号を付してその説明を省略する。
【０１２７】
図２１は、上述した趣味や趣向などで予め繋がれる１つ又は複数のコミュニケーションネットワークグループ例を示す図である。図２１の例では、ユーザが登録したユーザプロファイルやユーザ自身が参加を希望して登録した各コミュニケーションネットワークグループが表示されている。また、ネットワークグループ内での各メンバとの顔見知り度が高いコミュニケーションネットワークグループは、顔見知り度が低い他のコミュニケーションネットワークグループよりも、表示面積が大きくなるように表示制御がなされている。
【０１２８】
ユーザは、情報端末装置１５０から図２１で示された各コミュニケーションネットワークグループを選択することができ、図２２に示すように、選択されたコミュニケーションネットワークグループ内のメンバのアイコンを表示する。このとき、情報端末装置１５０は、メンバのアイコン付近にメンバの名前とコミュニケーション度合い（メール数、通話時間等）を、顔見知り度として表示させることができる。他のメンバの顔見知り度の情報は、管理装置３００から該当のコミュニケーションネットワークグループが選択された際に取得したり、予め情報端末装置１５０に記憶されたメンバ別の顔見知り度を用いることができる。
【０１２９】
本実施形態のコミュニケーション管理システムは、複数の情報端末装置１５０と接続され、複数の情報端末装置１５０間でのユーザ同士のコミュニケーションのためのコミュニケーションネットワーク情報を提供するものである。本コミュニケーション管理システムは、複数のユーザ別に、日々の生活で動的に取得されるユーザの生体情報又は／及び生活行動情報を記憶し、ユーザ自身の生体情報又は／及び生活行動情報に基づいて当該ユーザに対して複数の他のユーザを関連付けたコミュニケーションネットワーク情報を生成する。このとき、動的に取得されるユーザ自身の生体情報又は／及び生活行動情報それぞれをネットワーク形成要素として、コミュニケーションネットワーク情報を生成する。このように構成することで、健康や生活行動を契機としたユーザ間のコミュニケーションを活性化させることができ、ユーザ同士での健康や生活に関するコミュニケーションを通じた健康促進やユーザ間での見守り監視ができる環境を提供することができる。
【０１３０】
なお、上記説明では、ユーザ情報３２７や図３下段に示したデータ種別のグループ情報などは、情報端末装置１５０側に記憶することができる。この場合、例えば、生体情報計測装置１００から受信した血圧計測データに該当するデータ種別のグループ情報を判別し、血圧計測データと共にグループ情報（血圧タイプ）を、管理装置３００に送信するように構成することもできる。また、ユーザ情報３２７は、例えば、他のユーザのメールアドレスや電話番号などの連絡先を含むことができるので、情報端末装置１５０側にも記憶させておくことで、生体情報又は／及び生活行動情報に応じて動的に生成されるコミュニケーションネットワークの構成メンバとの間で、円滑にコミュニケーションを図ることができる。
【０１３１】
以上、本実施形態のコミュニケーション管理システム（管理装置３００）の各機能は、プログラムとして構成することができる。例えば、コンピュータの不図示の補助記憶装置に格納され、ＣＰＵ等の制御部が補助記憶装置に格納されたコミュニケーション管理システムの各機能毎のプログラムを主記憶装置に読み出し、主記憶装置に読み出された該プログラムを制御部が実行し、コンピュータに本発明の各部の機能を動作させることができる。すなわち、本実施形態のコミュニケーション管理システムの各機能毎のプログラムがインストールされたコンピュータは、本実施形態のコミュニケーション管理システムの各機能を遂行するコンピュータ装置として動作することが可能である。
【０１３２】
また、上記プログラムは、コンピュータ読取可能な記録媒体に記録された状態で、コンピュータに提供することも可能である。コンピュータ読取可能な記録媒体としては、ＣＤ−ＲＯＭ等の光ディスク、ＤＶＤ−ＲＯＭ等の相変化型光ディスク、ＭＯ（Magnet Optical）やＭＤ(Mini Disk)などの光磁気ディスク、フロッピー（登録商標）ディスクやリムーバブルハードディスクなどの磁気ディスク、コンパクトフラッシュ（登録商標）、スマートメディア、SDメモリカード、メモリスティック等のメモリカードが挙げられる。また、本発明の目的のために特別に設計されて構成された集積回路（ICチップ等）等のハードウェア装置も記録媒体として含まれる。
【０１３３】
なお、本発明の実施形態を説明したが、当該実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３４】
１００    生体情報計測装置
１０１    通信部
１０２    センサモジュール
１５０    情報端末装置
２００    生活行動取得装置
２０１    センサ装置
２０２    処理部
２０３    通信部
３００    管理装置（コミュニケーション管理装置）
３１０    制御装置
３１１    行動推定部
３１２    健康状態判定部
３１３    コミュニケーションネットワーク制御部
３２０    記憶部
３２１    生体情報
３２２    行動情報
３２３    行動パターンナレッジ情報
３２４    健康判定ナレッジ情報
３２５    ユーザ別見守り情報
３２６    ネットワーク定義情報
３２７    ユーザ情報
４００    情報端末装置
【図１】
2015005259.tif 000003
【図２】
2015005259.tif 000004
【図４】
2015005259.tif 000005
【図５】
2015005259.tif 000006
【図６】
2015005259.tif 000007
【図１０】
2015005259.tif 000008
【図１５】
2015005259.tif 000009
【図１９】
2015005259.tif 000010
【図２０】
2015005259.tif 000011
【図２１】
2015005259.tif 000012
【図３】
2015005259.tif 000013
【図７】
2015005259.tif 000014
【図８】
2015005259.tif 000015
【図９】
2015005259.tif 000016
【図１１】
2015005259.tif 000017
【図１２】
2015005259.tif 000018
【図１３】
2015005259.tif 000019
【図１４】
2015005259.tif 000020
【図１６】
2015005259.tif 000021
【図１７】
2015005259.tif 000022
【図１８】
2015005259.tif 000023
【図２２】
2015005259.tif 000024